(57)【要約】  【課題】  ヒンジ機構やその取付金具をドア板に露出させないことによってドア板の見栄えを良くし、装飾性・ファッション性の高い店舗・施設に適するスイングドアを提供する。  【解決方法】  スイングドアは、ドア板７の上隅部をドア枠３に対して回動可能に吊るとともに、ドア板７を閉位置にオートリターンさせる上部ヒンジ１０を具備する。上部ヒンジ１０は、ドア板７の回動軸となるシャフト１１と、シャフト１１の上端を貫通するローラー軸１５と、ローラー軸１５の両端に回動可能に支持されて、シャフト１５の周囲を回転するローラー１７と、ローラー軸１５がドア板７の面と直交する方向となるように、ローラー１７を案内するカム溝が形成されたカムプレート１９と、を備える。ローラー軸１５、ローラー１７及びカムプレート１９は、ドア枠３内に固定されたヒンジブラケット２３内に収容されている。【選択図】  図１
2012202091.tif 000002
【特許請求の範囲】
【請求項１】
ドア枠と、
該ドア枠に対して手前・奥方向にスイング可能なドア板と、
該ドア板の上隅部を前記ドア枠に対して回動可能に吊るとともに、前記ドア板を閉位置にオートリターンさせる上部ヒンジと、
前記ドア板の下隅部を回動可能に軸支する下部ヒンジと、
を具備し、
前記上部ヒンジが、前記ドア枠内に内蔵されていることを特徴とするスイングドア。
【請求項２】
前記上部ヒンジが、
下端が前記ドア板に固定されて、該ドア板の回動軸となるシャフトと、
前記シャフトの上端を、該シャフトと直交し、かつ、前記ドア板の面に直交する方向に貫通するローラー軸と、
前記ローラー軸の両端に回動可能に支持されて、前記シャフトの周囲を回転するローラーと、
前記ローラー軸が前記ドア板の面と直交する方向となるように、前記ローラーを案内するカム溝が形成されたカムプレートと、
を備え、
前記ドア板を前記ドア枠に取り付ける際に、
前記カムプレートを、前記ドア枠の下面に形成した開口から斜めに傾けて入れることを特徴とする請求項１に記載のスイングドア。
【請求項３】
前記上部ヒンジ組立を前記ドア枠内に支持するヒンジブラケットを備え、
該ヒンジブラケットが、
前記シャフトが下方に延びるように前記カムプレートが収容される吊り下げ部と、
前記ドア枠の内面上部に固定される固定部と、
を有することを特徴とする請求項２に記載のスイングドア。
【請求項４】
前記シャフトの下端に、前記ドア板の上面に固定される吊りプレートが固定されていることを特徴とする請求項２又は３に記載のスイングドア。
【発明の詳細な説明】
【技術分野】
【０００１】
本発明は、ドア枠に対して前後方向にスイング可能なドア板と、ドア板を閉位置にオートリターンさせるヒンジ組立と、を具備するスイングドアに関する。特には、ドア板の表面にヒンジ組立やその取付金具などが露出しないスイングドアに関する。
【背景技術】
【０００２】
スイングドアの中には、ドア板が自動的に元の位置（閉位置）に戻るように構成された、いわゆるオートリターン機能を備えたものがある。このようなスイングドアは、例えばスーパーマーケットやコンビニ、あるいはレストラン等で従来から広く利用されており、売り場スペースや飲食スペースとバックヤードスペースとの間に設置される。例えば特許文献１や特許文献２には、オートリターン機能を備えたスイングドアが開示されている。
【先行技術文献】
【特許文献】
【０００３】
【特許文献１】特公昭４３−９１６０号公報
【特許文献２】特開２００６−２４９８５７号公報
【発明の概要】
【発明が解決しようとする課題】
【０００４】
このようなオートリターン式のスイングドアにおいては、ドアのヒンジ機構がドア板の回転支点側の上隅に設けられている場合が多い。この場合、ドア板の表面にヒンジ機構やその取付金具の一部が露出したりドア板から出っ張ることがある。前述のように、スイングドアの一方の面は、買い物客などのいるスペースに面しているので、ドア板の表面にこのようなものが露出していると、見栄えが悪く、装飾性やファッション性を要求される店舗には適さない。
【０００５】
本発明は上記の点に鑑みてなされたものであって、ヒンジ機構やその取付金具をドア板に露出させないことによってドア板の見栄えを良くし、装飾性・ファッション性の高い店舗・施設に適するスイングドアを提供することを目的とする。
【課題を解決するための手段】
【０００６】
本発明のスイングドアは、  ドア枠と、  該ドア枠に対して手前・奥方向にスイング可能なドア板と、  該ドア板の上隅部を前記ドア枠に対して回動可能に吊るとともに、前記ドア板を閉位置にオートリターンさせる上部ヒンジと、  前記ドア板の下隅部を回動可能に軸支する下部ヒンジと、  を具備し、  前記上部ヒンジが、前記ドア枠内に内蔵されていることを特徴とする。
【０００７】
従来のスイングドアにおいては、上部ヒンジはドア板の上隅部に取り付けられており、上部ヒンジの一部や取付金具がドア板の表面に露出したり、表面から出っ張ることがある。このため、ドア板が無骨に見えて、見栄えが悪い。本発明のスイングドアは、上部ヒンジをドア枠に内蔵させたので、ドア板の全表面は何も露出していない平坦な面となり見栄えよい。したがって、ドア板に美しい絵や写真などを貼り付けることもでき、装飾性・ファッション性の高い店舗・施設に設置するドアとして好適である。
【０００８】
本発明においては、  前記上部ヒンジが、  下端が前記ドア板に固定されて、該ドア板の回動軸となるシャフトと、  前記シャフトの上端を、該シャフトと直交し、かつ、前記ドア板の面に直交する方向に貫通するローラー軸と、  前記ローラー軸の両端に回動可能に支持されて、前記シャフトの周囲を回転するローラーと、  前記ローラー軸が前記ドア板の面と直交する方向となるように、前記ローラーを案内するカム溝が形成されたカムプレートと、を備えることとできる。この場合、  前記ドア板を前記ドア枠に取り付ける際に、  前記カムプレートを、前記ドア枠の下面に形成した開口から斜めに傾けて入れることができる。
【０００９】
本発明においては、  前記上部ヒンジ組立を前記ドア枠内に支持するヒンジブラケットを備え、  該ヒンジブラケットが、  前記シャフトが下方に延びるように前記カムプレートが収容される吊り下げ部と、  前記ドア枠の内面上部に固定される固定部と、を有することが好ましい。
【００１０】
ヒンジブラケットを予めドア枠に固定しておき、同ブラケットに上部ヒンジ組立を取り付けることにより、上部ヒンジ組立のほとんどの部分をドア枠内に収めることができる。
【００１１】
本発明においては、  前記シャフトの下端に、前記ドア板の上面に固定される吊りプレートが固定されていることが好ましい。
【００１２】
本発明によれば、上部ヒンジ組立を、ドア枠内に固定されたヒンジブラケットに取り付けた状態においては、ドア枠からシャフトが下方に突き出している。そのシャフトの下端に吊りプレートが固定されているので、この吊りプレートにドア板の上面を固定することにより、簡単にドア板を上部ヒンジ組立に取り付けることができる。
なお、吊りプレートの幅をドア板の厚さよりも狭くすれば、ドア板の表面から出っ張る部分が存在しないので、ドア板の見栄えを良くする点で好ましい。
【発明の効果】
【００１３】
以上の説明から明らかなように、本発明によれば、上部ヒンジをドア枠に内蔵させたので、ドア板の全表面は何も露出していない平坦な面となる。したがって、ドア板の見栄えが良くなるとともに、ドア板に美しい絵や写真などを貼り付けることもでき、装飾性・ファッション性の高い店舗・施設に設置するドアとして好適である。
【図面の簡単な説明】
【００１４】
【図１】本発明の実施の形態に係るスイングドアの上部ヒンジの構造を示す図であり、図１（Ａ）は正面図、図１（Ｂ）は図１（Ａ）のＡ−Ａ矢視図である。
【図２】本発明の実施の形態に係るスイングドアの全体の構造を示す正面図である。
【図３】本発明の実施の形態に係るスイングドアの下部ヒンジの構造を示す図であり、図３（Ａ）は下部ヒンジの斜視図、図３（Ｂ）は下部ヒンジをドア枠及びドア板に取り付ける手順を説明する図である。
【図４】上部ヒンジをドア枠に取り付ける手順を説明する図である。
【図５】ドア枠に取り付けられた上部ヒンジにドア板を取り付ける手順を説明する図である。
【図６】ドア枠にカバーを取り付ける手順を説明する図である。
【発明を実施するための形態】
【００１５】
以下、本発明の実施の形態について、図面を参照しながら詳細に説明する。
図２を参照して、本発明の実施の形態に係るスイングドアの全体の構造を説明する。
本発明のスイングドア１は、ドア枠３と、ドア枠３に対して手前・奥方向（人の通り抜ける方向）にスイング可能な両開き用の左右のドア板７と、ドア板７をドア枠３に対して回動可能に支持する上部ヒンジ組立１０と下部ヒンジ組立３０と、を備える。
【００１６】
ドア枠３は、建物の壁に設けられた開口の左右の側辺と上辺とに沿って設けられており、左右の枠部材４、５と、左右の枠部材４、５の上端間に延びる上枠部材６とを有する。各枠部材は、断面形状がＣ字型の部材であり、開口した面が外側（壁の開口の端面側）となるように取り付けられる。上枠部材６の下面の両隅寄りの位置には、同部材の長手方向に延びる開口６ａ（図１、図４（Ａ）参照）が開けられている。この開口は、後述するように上部ヒンジ組立１０を組み込むためのものである。
２枚のドア板７は、このドア枠３の開口を開閉するもので、上部ヒンジ組立１０と下部ヒンジ組立３０とによって、ドア枠３に対して手前・奥方向にスイング可能に支持されている。
【００１７】
図１を参照して、上部ヒンジ組立を説明する。図１（Ａ）は上部ヒンジ組立の正面図、図１（Ｂ）は図１（Ａ）のＡ−Ａ矢視図である。この例では、左側のドア板７の上部ヒンジ組立１０を説明する。右側のドア板７の上部ヒンジ組立１０も同様の構造を有する。
上部ヒンジ組立１０は、ドア板７の回動軸となる縦方向に延びるシャフト１１と、シャフト１１の上端に取り付けられたローラー軸１５と、ローラー軸１５の両端に回転可能に支持されたローラー１７と、ローラー軸１５を支持するカムプレート１９と、を主に備える。
上部ヒンジ組立１０は、ヒンジブラケット２３（詳細後述）によって上枠部材６内に支持される。
【００１８】
シャフト１１は、吊りプレート１３のほぼ中央に、同プレート１３の面に対してほぼ垂直となるように溶接によって固定されている。吊りプレート１３はドア板７の厚さよりも狭い幅の縦長のプレートで、後述するようにドア板７の上面に固定される。
ドア板７の上面の隅寄りの位置には、吊りプレート１３を取り付けるための取付金具５３が埋設されている。図１に示すように、この取付金具５３は、ドア板７の表面に露出していない。吊りプレート１３は、この取付金具５３にボルト１４で固定されて、これにより、ドア板７の上面からシャフト１１が立設する。このシャフト１１は上枠６の開口６ａを通って同枠６内に延びている。
【００１９】
ローラー軸１５は、シャフト１１の上端を貫通して、シャフト１１と直交し、かつ、ドア板７の面と直交する方向に延びている。ローラー軸１５の両端には、各々ローラー１７が回転可能に支持されている。各ローラー１７は、Ｅリング１８によってローラー軸１５から抜け止めされている。
【００２０】
カムプレート１９は、上枠部材６の長さ方向に長い略板状の部材であり、平坦部１９ａと、平坦部１９ａの長さ方向の一端から立ち上がった立ち上がり部１９ｂとを有する。平坦部１９ａの、長さ方向のほぼ中央には、カムプレート１９の短手方向に延びる溝１９ｃが形成されている。溝１９ｃは断面形状が三角形状であり、斜め方向に延びる傾斜面を有する。また、溝１９ｃの幅はローラー１７の取付位置の外幅とほぼ等しい。この溝１９ｃの、カムプレート１９の幅方向の中央には、図１（Ｂ）に示すように、シャフト１１が貫通する貫通孔２１が開けられている。
【００２１】
ヒンジブラケット２３は、上枠部材６の長さ方向に長い部材であり、断面形状が、コの字の開口が上を向いた形状の吊り下げ部２４と、吊り下げ部２４の両上縁から外方向に張り出す固定部２５とを有する。吊り下げ部２４の長さ方向の中央付近には、ある程度の深さの開口２４ａが形成されている。
【００２２】
ヒンジブラケット２３は、吊り下げ部２４の開口２４ａが上枠部材６の開口６ａのほぼ上方となるように配置され、固定部２５が、上枠部材６の上内面に溶接されて固定されている。この際、ヒンジブラケット２３と上枠部材６とを正確に位置決めできるように、図１（Ｂ）に示すように、ヒンジブラケット２３の一方の固定部２５に位置決め凸部２５ａが形成され、上枠部材６の上内面にはこの凸部２５ａが嵌合する凹部６ｂが形成されている。なお、位置決め凹凸部は、ヒンジブラケット２３の両方の固定部２５に形成してもよい。ヒンジブラケット２３が上枠部材６に固定された状態で、ヒンジブラケット２３の吊り下げ部２４の底壁と、上枠部材６の下内面との間には間隔が開いている。
【００２３】
カムプレート１９は、立ち上がり部１９ｂが上枠部材６の隅側となるように、ヒンジブラケット２３の吊り下げ部２４の開口２４ａから同ブラケット２３内に挿入される。なお、カムプレート１９は、平坦部１９ａが隅側となるように挿入してもよい。そして、平坦部１９ａがヒンジブラケット２３の吊り下げ部２４の底壁にボルトで固定されている。
【００２４】
次に、図３を参照して下ヒンジ組立を説明する。図３（Ａ）は下ヒンジ組立の斜視図、図３（Ｂ）は下ヒンジ組立をドア板に取り付ける手順を説明する図である。
下ヒンジ組立３０は、図３（Ａ）に示すように、上ヒンジ組立１０のシャフト１１と同軸方向に延びるピン３１と、ピン３１が支持されるブラケット３３とから構成される。
【００２５】
ブラケット３３は、ドア枠３の左右の枠部材４と床面とに沿う、垂直片３４と水平片３５とを有する略Ｌ字状の形状である。ピン３１は、水平片３５のほぼ中央に立設されている。
ドア板７の下面の隅寄りの位置には、ピン３１が挿入される貫通孔を有するドア板下部プレート３９が取り付けられている。図１に示すように、このドア板下部プレート３９も、ドア板７の表面に露出していない。
【００２６】
このスイングドア１の作用を説明する。
図１に示すドア閉時には、上ヒンジ部材１０のローラー軸１５に回動可能に支持されている各ローラー１７は、カムプレート１９の溝１９ｃに嵌り込んでいる。ドア板７に開方向の力がかかると、ドア板７に吊りプレート１３によって固定されているシャフト１１が軸周りに回転しようとする。しかし、シャフト１１を貫通しているローラー軸１５に支持されている各ローラー１７は、カムプレート１９の溝１９ｃに嵌り込んでいるので、シャフト１１の回動に抵抗を与えている。つまり、シャフト１１は回転せず、ドア板７は閉状態に維持される。
【００２７】
さらに強い開方向の力をドア板７に加えると、各ローラー１７はカムプレート１９の溝１９ｃの傾斜面に沿って上昇し、シャフト１１が軸周りに回転し始める。つまり、ドア板７が開き始める。そして、ローラー１７が溝１９ｃの傾斜面を上りカムプレート１９の平坦部１９ａに達すると、ドア板７は、開口面に対して約９０°開く。なお、ローラー１７が溝１９ｃの傾斜面を上昇した分だけ、ドア板７は閉状態から持ち上がる。この際、下ヒンジ組立３０においては、ドア板７の貫通孔にピン３１が嵌り込んでいるだけなので、ドア板７へのピン３１の嵌り込み寸法はやや小さくなる。
【００２８】
このように各ローラー１７がカムプレート１９の平坦部１９ａ上に乗り上げている状態では、ドア板７は開状態となる。しかし、いったん開かれたドア板７は慣性力によりシャフト１１の軸周りにスイング動作するので、シャフト１１もまたカムプレート１９の貫通孔２１内で回動し、各ローラー１７は貫通孔２１の周囲の平坦部１９ａ上を転動する。この際、各ローラー１７が平坦部１９ａの溝１９ｃの傾斜面の上端に達すると、ドア板７の自重で各ローラー１７は傾斜面に沿って滑り、再度溝１９ｃに嵌り込む。すなわち、ドア板７は自動的に閉じられる（オートリターンする）。
【００２９】
上述のように、このスイングドア１においては、上ヒンジ組立１０が上枠部材６内に収容されている。また、上部ヒンジ組立１０の吊りプレート１３は、ドア板７の上面からドア板内に埋設されている取付金具５３に取り付けられているので、ドア板７の表面にヒンジ組立や取付金具の一部が露出していない。このためドア板７の見栄えがよく、ドア板７の表面に美しい絵や写真などを貼り付けて、装飾性・ファッション性の高い店舗・施設に設置するのに好適である。
【００３０】
次に、図３〜図６を参照して、このスイングドアのドア板をドア枠に組み付ける方法の一例を説明する。
上部ヒンジ部材１０は予め組み立てられている。つまり、シャフト１１（吊りプレート１３溶接済み）をカムプレート１９の貫通孔２１に挿入して、上端にローラー軸１５を挿通させる。そして、ローラー軸１５の両端にローラー１７を取り付けて各々Ｅリング１８で抜け止めする。また、上枠部材６には、ヒンジブラケット２３が予め溶接されて固定されている。ヒンジブラケット２３の吊り下げ部２４の上面の開口は、塞ぎプレート５１で塞がれている。
【００３１】
まず、組み立てられた上部ヒンジ部材１０を、ヒンジブラケット２３に取り付ける。この際、上部ヒンジ部材１０を、カムプレート１９の平坦部１９ａ側を上にした（あるいは、立ち上がり部１９ｂを上にした）斜めの状態として、図４（Ａ）に示すように、上枠部材６の開口６ａを通して、ヒンジブラケット２３の吊り下げ部２４に形成した開口２４ａから、吊り下げ部２４内に収容する。そして、図４（Ｂ）に示すように、カムプレート１９の平坦部１９ａとヒンジブラケット２３の吊り下げ部２４とを、上枠部材６の開口６ａを通してボルト２２で固定する。この状態では、シャフト１１と吊りプレート１３が上枠部材６から下方に突出している。
【００３２】
次に、図５（Ａ）に示すように、ドア板７を開口内の所定位置に位置させる。なお、ドア板７の上面の隅寄りの位置には、前述の取付金具５３が埋設されている。そして、図５（Ｂ）に示すように、吊りプレート１３とドア板７に埋設された取付金具５３とをボルト１４で固定する。
【００３３】
次に、図３（Ｂ）に示すように、下部ヒンジ組立３０のブラケット３３の水平片３５に立設されたピン３１を、ドア板７の下面に取り付けられたドア板下部プレート３９の孔に挿入する。そして、ブラケット３３の垂直片３４を、左右の枠部材（図では左枠部材４）にネジで固定する。さらに、ブラケット３３の水平片３４をプラグ３７を介して床面にネジで固定する。
【００３４】
最後に、図６に示すように、上枠部材６の開口６ａをカバー４０で閉じる。なお、予め、上枠部材６の開口６ａの長さ方向の両端部に、カバー取り付けプレート４５が固定されている。各カバー取付プレート４５は、開口６ａに一部が張り出すように、上枠部材６の下面に取り付けられている。
【００３５】
カバー４０は、上枠部材６の開口６ａの寸法とほぼ同じ寸法のプレートであり、上枠部材６の長手方向に延びる軸に沿って２つ割りされる２枚のプレート片４１、４２から構成される。各プレート片４１、４２の、隅寄りの位置には、上部ヒンジ部材１０のシャフト１１を通すための半円形の切り欠き４１ａ、４２ａが形成されている。
【００３６】
カバー４０を取り付ける際は、各プレート片４１、４２をシャフト１１を挟んで上枠部材６の開口６ａに位置決めし、ネジでカバー取り付けプレート４５に固定する。これにより、上枠部材６の開口６ａが塞がれ、見栄えが良くなるとともに、ごみ等の侵入を防ぐことができる。
【符号の説明】
【００３７】
１  スイングドア                      ３  ドア枠
４  左枠部材                          ５  右枠部材
６  上枠部材                          ７  ドア板
１０  上部ヒンジ組立                  １１  シャフト
１３  吊りプレート                    １４  ボルト
１５  ローラー軸                      １７  ローラー
１８  Ｅリング                        １９  カムプレート
２１  貫通孔                          ２２  ボルト
２３  ヒンジブラケット                ２４  吊り下げ部
２５  固定部
３０  下部ヒンジ組立                  ３１  ピン
３３  ブラケット                      ３４  垂直片
３５  水平片                          ３７  プラグ
３９  ドア板下部プレート
４０  カバー                          ４１、４２  プレート片
４５  カバー取付プレート
５１  塞ぎプレート                    ５３  取付金具
【図１】
2012202091.tif 000003
【図２】
2012202091.tif 000004
【図３】
2012202091.tif 000005
【図４】
2012202091.tif 000006
【図５】
2012202091.tif 000007
【図６】
2012202091.tif 000008